(57)【要約】      （修正有）【課題】文字板の浮きなどによる漏光の影響を抑制し得る文字板照明装置を提供する。【解決手段】光源１６が収容される照明室が手前面に凹設形成されたハウジング２２と、このハウジング２２の手前面に対し、照明室の手前側に形成された照明用開口部２３を覆うように当接配置された文字板１５と、を有し、文字板１５が光源１６からの光１７によって照明される透光部２４を照明用開口部２３の位置に備えた文字板照明装置に関する。ハウジング２２の照明用開口部２３の少なくとも一部の周囲に、ハウジング２２と文字板１５との間に生じた隙間３１への光１７の漏れを抑制するための漏光抑制用突条部４１を設けるようにする。【選択図】図９Ａ
2017003485.tif 000002
【特許請求の範囲】
【請求項１】
光源が収容される照明室が手前面に凹設形成されたハウジングと、
該ハウジングの手前面に対し、前記照明室の手前側に形成された照明用開口部を覆うように当接配置された文字板と、を有し、
前記文字板が前記光源からの光によって照明される透光部を前記照明用開口部の位置に備えた文字板照明装置において、
前記ハウジングの照明用開口部の少なくとも一部の周囲に、ハウジングと文字板との間に生じた隙間への光の漏れを抑制するための漏光抑制用突条部を設けたことを特徴とする文字板照明装置。
【請求項２】
光源が収容される照明室が手前面に凹設形成されたハウジングと、
該ハウジングの手前面に対し、前記照明室の手前側に形成された照明用開口部を覆うように当接配置された文字板と、を有し、
前記文字板が前記光源からの光によって照明される透光部を前記照明用開口部の位置に備えた文字板照明装置において、
前記ハウジングの照明用開口部の少なくとも一部の周囲に、ハウジングと文字板との間に生じた隙間から漏れた光源の光を受けて、照明用開口部の外側への光の拡散を抑制するための漏光拡散抑制用凹溝部を設けたことを特徴とする文字板照明装置。
【請求項３】
請求項１に記載の文字板照明装置において、
前記漏光抑制用突条部の外側に、漏光拡散抑制用凹溝部を設けたことを特徴とする文字板照明装置。
【請求項４】
請求項２または請求項３に記載の文字板照明装置において、
前記漏光拡散抑制用凹溝部が、前記照明用開口部の周囲に対し、全周に亘って設けられたことを特徴とする文字板照明装置。
【請求項５】
請求項１または請求項３に記載の文字板照明装置において、
前記漏光抑制用突条部が、前記照明用開口部の周囲に対し、全周に亘って設けられたことを特徴とする文字板照明装置。
【請求項６】
請求項１ないし請求項５のいずれか１項に記載の文字板照明装置において、
前記照明用開口部が、複数隣接配置されて前記文字板上でセグメント表示を行わせるものであることを特徴とする文字板照明装置。
【発明の詳細な説明】
【技術分野】
【０００１】
この発明は、文字板照明装置に関するものである。
【背景技術】
【０００２】
自動車などの車両には、車室内の前部に計器装置やその他の表示装置が各種設けられている。このような表示装置には、文字板を照明し得るようにしたもの（文字板照明装置）が存在している（例えば、特許文献１参照）。
【０００３】
上記した文字板照明装置は、光源が収容される照明室が手前面に凹設形成されたハウジングと、このハウジングの手前面に対し、照明室の手前側に形成された照明用開口部を覆うように当接配置された文字板と、を有するものとされる。
【０００４】
文字板は、例えば、ハウジング（ロワハウジング）に対し、その周縁部を押え部材（アッパハウジング）を用いて挟み込むようにして取付けられる。または、文字板は、例えば、ハウジングに対し、その周縁部を接着剤や両面テープなどで取付けられる。
【先行技術文献】
【特許文献】
【０００５】
【特許文献１】特開２００６−１４５３０３号公報
【発明の概要】
【発明が解決しようとする課題】
【０００６】
しかしながら、文字板照明装置には以下のような問題があった。
【０００７】
即ち、ハウジングと文字板とは、一般に、材質が異なっている（即ち、線膨張係数が異なっている）ため、長期間の使用による繰り返しの熱膨張差などの影響で上記したような文字板の固定が効かなくなり、文字板が撓んでハウジングに対し文字板が浮くおそれがある。そして、文字板の浮きなどによって、ハウジングと文字板との間に僅かな隙間が生じると、この隙間から光が漏れることで、例えば、透光部による表示の輪郭がボヤケたり、隣接する透光部を光らせたりするおそれがある。
【０００８】
そこで、本発明は、上記した問題点を解決することを、主な目的としている。
【課題を解決するための手段】
【０００９】
上記課題を解決するために、本発明は、
光源が収容される照明室が手前面に凹設形成されたハウジングと、
該ハウジングの手前面に対し、前記照明室の手前側に形成された照明用開口部を覆うように当接配置された文字板と、を有し、
前記文字板が前記光源からの光によって照明される透光部を前記照明用開口部の位置に備えた文字板照明装置において、
前記ハウジングの照明用開口部の少なくとも一部の周囲に、ハウジングと文字板との間に生じた隙間への光の漏れを抑制するための漏光抑制用突条部を設けたことを特徴としている。
【発明の効果】
【００１０】
本発明によれば、上記した漏光抑制用突条部によって、文字板の浮きなどによる漏光の影響を抑制することができる。
【図面の簡単な説明】
【００１１】
【図１】実施例にかかる車室前部の様子を示す図である。
【図２】図１を側方から見た縦断面図である。
【図３】図１のヘッドアップディスプレー装置の斜視図である。
【図４】図３の断面図である。
【図５】図３の分解斜視図である。
【図６】ヘッドアップディスプレー装置に設けられた表示装置の斜視図である。
【図７】文字板照明装置の基本構造を示す図である。
【図８Ａ】照明用開口部の平面図である。
【図８Ｂ】照明用開口部の断面図である。
【図９Ａ】文字板の浮きを示す縦断面図である。
【図９Ｂ】照明による表示を示す図である。
【図１０】漏光抑制用突条部および漏光拡散抑制用凹溝部を示す図９Ａの部分拡大図である。
【図１１】漏光抑制用突条部および半円形状の漏光拡散抑制用凹溝部を示す図１０と同様の部分拡大図である。
【図１２】漏光拡散抑制用凹溝部が一部のみに設けられた図９Ａと同様の縦断面図である。
【図１３】漏光拡散抑制用凹溝部を多重に設けた場合を示す図である。
【図１４】照明用開口部を複数近接配置した状態を示す縦断面図である。
【図１５Ａ】比較例としての漏光抑制用突条部や漏光拡散抑制用凹溝部を設けない場合の図８Ａと同様の照明用開口部の平面図である。
【図１５Ｂ】図１５Ａの照明用開口部の断面図である。
【図１６Ａ】図１５Ｂの場合の文字板の浮きを示す縦断面図である。
【図１６Ｂ】図１６Ａの場合の照明による表示を示す図である。
【図１７】図１６Ａの部分拡大図である。
【発明を実施するための形態】
【００１２】
以下、本実施の形態を、図面を用いて詳細に説明する。
図１〜図１７は、この実施の形態を説明するためのものである。
【実施例１】
【００１３】
＜構成＞以下、この実施例の構成について説明する。
【００１４】
図１に示すように、自動車などの車両には、車室内の前部にフロントウインドウガラス１が設けられ、このフロントウインドウガラス１の下部にインストルメントパネル２が設けられている。このインストルメントパネル２には、各種の表示装置３が設けられる。表示装置３は、例えば、メータなどの計器装置４やヘッドアップディスプレー装置５などとして設けられる。
【００１５】
そのうち、例えば、ヘッドアップディスプレー装置５は、要するに、図２に示すように、前方を向いて運転している乗員の視野範囲内に、表示装置３の画像６を虚像７として映し出させるようにしたものである。この場合には、表示装置３の画像６が、コンバイナー８（半透明の反射板）に投影されることで、虚像７はコンバイナー８の前方に映し出される。
【００１６】
上記したヘッドアップディスプレー装置５は、例えば、図３の斜視図に示すような外観形状を有すると共に、図４の断面図、図５の分解斜視図に示すような構造を備えている。即ち、ヘッドアップディスプレー装置５は、筒状をしたヘッドアップディスプレー装置本体１１と、このヘッドアップディスプレー装置本体１１の下端部に設置された上記表示装置３（図６参照）と、ヘッドアップディスプレー装置本体１１の上部に形成された取付枠部材１２と、この取付枠部材１２の開口部１３に開閉可能に取付けられた上記コンバイナー８とを有している。
【００１７】
ここで、ヘッドアップディスプレー装置本体１１は、表示装置３を保持すると共に、画像６の光路を形成する部材とされる。取付枠部材１２は、インストルメントパネルに形成された開口部分１４（図２参照）にヘッドアップディスプレー装置本体１１を取付けると共に、開口部分１４とヘッドアップディスプレー装置本体１１との間の隙間を隠すための部材とされる。
【００１８】
図７に示すように、上記した表示装置３は、基本的に、少なくとも文字板１５と光源１６とを有しており、光源１６からの光１７によって、文字板１５を照明できるもの（文字板照明装置１８）とされている。
【００１９】
このような文字板照明装置１８は、
光源１６が収容される照明室２１が手前面に凹設形成されたハウジング２２と、
このハウジング２２の手前面に対し、上記照明室２１の手前側に形成された照明用開口部２３を覆うように当接配置された上記文字板１５と、を有するものとされる。
そして、上記文字板１５が上記光源１６からの光１７によって照明される透光部２４を少なくとも上記照明用開口部２３の位置に備えている。
【００２０】
ここで、文字板１５は、通常、透明な樹脂性の板材に透光部２４を残して不透光性の印刷層を形成することによって構成される。図６では、文字板１５は、二枚に分けられると共に、二枚の文字板１５（１５ａ，１５ｂ）は、その見え方が異なるように互いに異なる角度で設置されている。透光部２４は、通常、照明用開口部２３と一致する大きさや形状とされる。または、透光部２４は、照明用開口部２３よりも小さいものとされる。
【００２１】
しかし、透光部２４が細かくなったり、または、透光部２４の数が多くなったりして、透光部２４間の間隔が狭くなると、透光部２４間に有効な不透光性の印刷層を形成するのが困難になったり、透光部２４を照明用開口部２３に正確に位置合わせするのが困難になったりする。
【００２２】
そこで、このような場合には、透光部２４を少なくとも照明用開口部２３よりも大きめのスモーク調のものにして（拡大透光部２４ａ、図７）、透光部２４の輪郭ではなく照明用開口部２３の縁部を照明による表示の輪郭として使用するようなことも行われる。なお、上記したような照明用開口部２３と同じ大きさかまたは小さくした透光部２４と、照明用開口部２３よりも大きくした透光部２４（拡大透光部２４ａ）とは、状況に応じて組み合わせても良い。
【００２３】
そして、文字板１５は、通常、ハウジング２２の表面に対して、その周縁部を接着剤や両面テープや爪固定などで取付けられるか、或いは、ハウジング２２とヘッドアップディスプレー装置本体１１との間などに挟着するようにして取付けられる。
【００２４】
なお、照明用開口部２３間の間隔が広いような場合には、上記に加えて、各照明用開口部２３の周囲に接着剤や両面テープなどを用いて文字板１５の各部を個別に固定することで、各照明用開口部２３の周囲に対し文字板１５の浮きを生じさせないようにすることが可能である。しかし、この実施例では、上記したように、透光部２４間の間隔が狭いことなどにより、各照明用開口部２３の周囲に文字板１５の各部を個別に固定することはせずに、文字板１５全体の周縁部のみを固定するようにしている。
【００２５】
また、光源１６は、ハウジング２２の裏面側に配設された回路基板２６などに取付けられる。光源１６には、ＬＥＤなどが使われる。回路基板２６は、その裏面側をカバー部材２７（図６参照）などで保護される。
【００２６】
ハウジング２２は、例外的な部分を除いて、基本的に各部が均一の肉厚となるように形成される。
【００２７】
以上のような基本的な構成に対し、この実施例では、以下のような構成を備えるようにしている。
【００２８】
（１）図８Ａ、８Ｂ（図９、図１０も併せて参照）に示すように、上記ハウジング２２の照明用開口部２３の少なくとも一部の周囲に、ハウジング２２と文字板１５との間に生じた隙間３１（図９Ａ参照）から漏れた光源１６の光１７（漏光１７ａ）を受けて、照明用開口部２３の外側への光１７の拡散を抑制するための漏光拡散抑制用凹溝部３２を設ける。
【００２９】
ここで、隙間３１は、例えば、ハウジング２２と文字板１５との材質が異なっている（即ち、線膨張係数が異なる樹脂によって形成される）ことから、長期間の使用による繰り返しの熱膨張差などの影響で上記した文字板１５の周縁部に対する固定が効かなくなり、文字板１５が撓む（またはハウジング２２に対して文字板１５が浮く）ことなどによって発生するものである。
【００３０】
漏光拡散抑制用凹溝部３２は、型抜きができる範囲内で、光１７（漏光１７ａ）の外側への拡散を抑制する効果が得られるような断面形状とする。光１７の外側への拡散を抑制する効果が得られるような断面形状は、例えば、漏光拡散抑制用凹溝部３２の内部で光１７が反射されて照明用開口部２３へ戻るような形状のことである。また、例えば、漏光拡散抑制用凹溝部３２の内部で光１７が複数回反射しながら有効に減衰されて行くような形状のことである。この場合には、図１０に示すような逆台形状（台形溝３２ａ）や、図１１に示すような半円形状（半円形溝３２ｂ）などとしている。但し、漏光拡散抑制用凹溝部３２の断面形状は、上記に限るものではない。
【００３１】
漏光拡散抑制用凹溝部３２は、ハウジング２２の形状を大きく変更しなくて済むように、また、ハウジング２２の強度を低下させることがないように、ハウジング２２の肉厚ｔよりも狭幅で浅いものとされる。具体的には、漏光拡散抑制用凹溝部３２は、ハウジング２２の肉厚ｔのほぼ１／３〜２／３程度の幅寸法ｗ１や深さｄなどに形成される。
【００３２】
なお、図１２に示すように、漏光拡散抑制用凹溝部３２は、表示の輪郭のボヤケが気にならないような部分や、構造的に漏光拡散抑制用凹溝部３２が設けられないような部分３５などについては、設けないようにすることもできる。漏光拡散抑制用凹溝部３２が設けられない部分３５は、例えば、図６の場合、二枚の文字板１５（１５ａ，１５ｂ）間の段差部分などである。
【００３３】
また、図１３に示すように、漏光拡散抑制用凹溝部３２は、スペースに余裕がある場合には、多重に設けるようにしても良い。
【００３４】
（２）または、上記ハウジング２２の照明用開口部２３の少なくとも一部の周囲に、ハウジング２２と文字板１５との間に生じた隙間３１への光１７の漏れを抑制するための漏光抑制用突条部４１を設ける。
【００３５】
ここで、漏光抑制用突条部４１は、通常時には、ハウジング２２と文字板１５との合わせの精度を出し易くするためのものとされる。そして、漏光抑制用突条部４１は、上記したような隙間３１が生じた時に、隙間３１へ入る漏光１７ａの入射角度を制限するためのものとされる。
【００３６】
漏光抑制用突条部４１は、ハウジング２２の形状を大きく変更しなくて済むように、また、ハウジング２２に（成形による）ヒケなどを生じさせることがないように、例えば、ハウジング２２の肉厚ｔのほぼ１／３〜２／３程度の幅寸法ｗ２や高さｈなどに形成される。
【００３７】
なお、漏光抑制用突条部４１は、表示の輪郭のボヤケが気にならないような部分や、構造的に漏光抑制用突条部４１が設けられないような部分３５などについては、設けないようにすることもできる。漏光抑制用突条部４１が設けられない部分３５は、例えば、図６の場合、二枚の文字板１５（１５ａ，１５ｂ）間の段差部分などである。
【００３８】
また、漏光抑制用突条部４１は、スペースに余裕がある場合には、多重に設けるようにしても良い。
【００３９】
（３）そして、上記した漏光抑制用突条部４１の外側に、上記した漏光拡散抑制用凹溝部３２を設けるようにする。
【００４０】
ここで、外側は、漏光抑制用突条部４１や漏光拡散抑制用凹溝部３２が設けられる各照明用開口部２３を基準とする。即ち、漏光抑制用突条部４１と漏光拡散抑制用凹溝部３２とを、少なくとも二重またはそれ以上となるように組み合わせる。漏光抑制用突条部４１と漏光拡散抑制用凹溝部３２とは、交互に形成するのが好ましい。なお、構造的には、漏光拡散抑制用凹溝部３２の外側に、漏光抑制用突条部４１を設けるような配置も可能である。
【００４１】
（４）好ましくは、図８Ａに示すように、上記漏光拡散抑制用凹溝部３２が、上記照明用開口部２３の周囲に対し、全周に亘って設けられるようにする。
【００４２】
ここで、全周に亘って設けられるとは、例えば、漏光拡散抑制用凹溝部３２を連続した無端状のもの（閉ループ状溝部）にすることである。或いは、無端状にしなくても、端部どうしを重複させるようにしても良い。
【００４３】
なお、図１４に示すように、照明用開口部２３が複数近接配置されている場合には、特に、各照明用開口部２３の周囲に対し、全周に亘る漏光拡散抑制用凹溝部３２を、それぞれ独立させて設けるようにする。これにより、隙間３１からの漏光１７ａが生じても、各照明用開口部２３の表示を明瞭に分離して見せることが可能となる。
【００４４】
（５）好ましくは、上記漏光抑制用突条部４１が、上記照明用開口部２３の周囲に対し、全周に亘って設けられるようにする。
【００４５】
ここで、全周に亘って設けられるとは、例えば、漏光抑制用突条部４１を連続した無端状のもの（閉ループ状突条部）にすることである。或いは、無端状にしなくても、端部どうしを重複させるようにしても良い。
【００４６】
なお、図１４に示すように、照明用開口部２３が複数近接配置されている場合には、特に、各照明用開口部２３の周囲に対し、全周に亘る漏光抑制用突条部４１を、それぞれ独立させて設けるようにする。これにより、隙間３１からの漏光１７ａが生じても、各照明用開口部２３の表示を明瞭に分離して見せることが可能となる。
【００４７】
（６）図６に示すように、好ましくは、上記照明用開口部２３が、複数隣接配置されて上記文字板１５上でセグメント表示５１を行わせるものとされる。
【００４８】
ここで、図６の表示装置３では、セグメント表示５１には、７セグメントパターンを用いた数値表示部５５や、矢印型セグメントなどを用いた方向案内部５６や、グラフ用セグメントなどを用いたバーグラフ部５７などが設けられている。
【００４９】
なお、複数の照明用開口部２３を隣接配置した構成は、上記したセグメント表示５１の他に、例えば、警告表示部などが多数隣接配置されるような部分（ワーニング表示領域）などにも採用することができる。
【００５０】
＜作用＞以下、この実施例の作用について説明する。
【００５１】
図６、図７に示すように、ハウジング２２の照明室２１に設けられた光源１６を点灯すると、光源１６からの光１７によって照明用開口部２３を覆っている文字板１５の透光部２４が照明される。これにより、文字板１５に、照明による表示を行わせることができる。
【００５２】
この際、透光部２４を照明用開口部２３と同じかまたは小さくしていると、透光部２４が照明による表示の輪郭となる。そして、透光部２４を照明用開口部２３よりも大きくしていると、透光部２４ではなく照明用開口部２３の縁部が照明による表示の輪郭となる。
【００５３】
図６の場合には、数値表示部５５や、方向案内部５６が表示される。この表示は、図１に示すようなヘッドアップディスプレー装置５の場合、コンバイナー８に投影されてコンバイナー８の前方（車両前方）に虚像７として結像される。
【００５４】
＜効果＞この実施例によれば、以下のような効果を得ることができる。
【００５５】
ハウジング２２と文字板１５とは、一般に、材質が異なっている（即ち、線膨張係数が異なる樹脂によって形成されている）ため、長期間の使用による繰り返しの熱膨張差などの影響で文字板１５の周縁部などに対する固定が効かなくなり、文字板１５が撓んでハウジング２２に対して文字板１５が浮くおそれがある。そして、文字板１５の浮きなどによって、ハウジング２２と文字板１５との間に僅かな隙間３１が生じると、この隙間３１から光１７が漏れることで、例えば、隣接する透光部２４を光らせたり、照明による表示の輪郭がボヤケたりするおそれがある（図１５〜図１７の比較例における図１６Ｂ参照）。なお、表示の輪郭がボヤケるのは、透光部２４を照明用開口部２３よりも大きくした場合（拡大透光部２４ａを設けた場合）などに起こり易い。
【００５６】
（効果１）
そこで、この実施例では、ハウジング２２の照明用開口部２３の少なくとも一部の周囲に漏光拡散抑制用凹溝部３２を設けた。そして、ハウジング２２と文字板１５との間に生じた隙間３１から漏れた光源１６の光１７を漏光拡散抑制用凹溝部３２で受けて、漏れた光１７（漏光１７ａ）が照明用開口部２３の外側へ拡散する割合を減らすようにする。その結果、隙間３１から漏れた光１７が照明用開口部２３よりも外側へ向かって拡散する割合が漏光拡散抑制用凹溝部３２によって激減され、照明による表示の輪郭のボヤケなどを効果的に抑制することが可能となる。よって、上記したような光漏れが発生した場合でも、光漏れを外部から判別し難くすることができる（図９Ｂ参照）。なお、隙間３１が生じていない時の表示の輪郭は、照明用開口部２３の縁部の位置となるが、隙間３１が生じた時の表示の輪郭は、漏光拡散抑制用凹溝部３２の外周縁部の位置となり、輪郭が僅かに大きくなる。
【００５７】
このような構造は、例えば、細かい照明室２１を沢山設定することで、隣接する照明用開口部２３間の間隔が狭くなって、隣接する透光部２４の間に不透光性の印刷層を形成して透光部２４の間を明確に仕切るのが難しくなったような場合や、また、各照明用開口部２３の周囲に接着剤や両面テープなどを用いて文字板１５の各部を個別に固定することで文字板１５に浮きを生じさせない対策などを施すことができないような場合などの対策として、特に有効である。
【００５８】
（効果２）
または、ハウジング２２の照明用開口部２３の少なくとも一部の周囲に漏光抑制用突条部４１を設けた。そして、ハウジング２２と文字板１５との間に生じた隙間３１へ漏れる光源１６の光１７を漏光抑制用突条部４１で抑制させるようにする。その結果、隙間３１へ入る漏光１７ａの入射角度が制限され、隙間３１へ入る漏光１７ａが減るので、表示の輪郭のボヤケなどを効果的に抑制することが可能となる。よって、上記したような光漏れが発生するような状況になった場合でも、光漏れを外部から判別し難くすることができる。
【００５９】
また、ハウジング２２に漏光抑制用突条部４１を設けることにより、ハウジング２２と文字板１５との合わせが線接触となるので、漏光抑制用突条部４１を設けないでハウジング２２と文字板１５とを広く面接触させる場合と比べて、ハウジング２２と文字板１５との合わせの精度を出し易くすることができる。
【００６０】
（効果３）
そして、漏光抑制用突条部４１の外側に、漏光拡散抑制用凹溝部３２を設けた。これにより、上記した漏光拡散抑制用凹溝部３２と漏光抑制用突条部４１との両方の効果を同時に得ることができる。その結果、両者の相乗効果により、表示の輪郭のボヤケを防止して、透光部２４の照明を明確に見せる効果を一層向上することができる。
【００６１】
（効果４）
漏光拡散抑制用凹溝部３２を、照明用開口部２３の周囲に対し、全周に亘って設けた。これにより、照明用開口部２３からの漏光１７ａを、閉ループ状の漏光拡散抑制用凹溝部３２によって全周に対して確実に防止することができる。
【００６２】
（効果５）
漏光抑制用突条部４１を、照明用開口部２３の周囲に対し、全周に亘って設けた。これにより、照明用開口部２３からの漏光１７ａを、閉ループ状の漏光抑制用突条部４１によって全周に対して確実に防止することができる。
【００６３】
（効果６）
照明用開口部２３を複数隣接配置して文字板１５上でセグメント表示５１を行わせるものとした。これにより、文字板１５上に表われるセグメント表示５１の輪郭がボヤケるのを抑制して、セグメント表示５１を明瞭で見易いものとすることができる。
【００６４】
以上、実施例を図面により詳述してきたが、実施例は例示にしか過ぎないものである。よって、本発明は実施例の構成にのみ限定されるものではなく、要旨を逸脱しない範囲の設計の変更等があっても含まれることは勿論である。また、例えば、各実施例に複数の構成が含まれている場合には、特に記載がなくとも、これらの構成の可能な組合せが含まれることは勿論である。また、複数の実施例や変形例が開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６５】
１５  文字板
１６  光源
１７  光
１７ａ  漏光
１８  文字板照明装置
２１  照明室
２２  ハウジング
２３  照明用開口部
２４  透光部
２４ａ  拡大透光部
３１  隙間
３２  漏光拡散抑制用凹溝部
４１  漏光抑制用突条部
５１  セグメント表示
【図１】
2017003485.tif 000003
【図２】
2017003485.tif 000004
【図３】
2017003485.tif 000005
【図４】
2017003485.tif 000006
【図５】
2017003485.tif 000007
【図６】
2017003485.tif 000008
【図７】
2017003485.tif 000009
【図８Ａ】
2017003485.tif 000010
【図８Ｂ】
2017003485.tif 000011
【図９Ａ】
2017003485.tif 000012
【図９Ｂ】
2017003485.tif 000013
【図１０】
2017003485.tif 000014
【図１１】
2017003485.tif 000015
【図１２】
2017003485.tif 000016
【図１３】
2017003485.tif 000017
【図１４】
2017003485.tif 000018
【図１５Ａ】
2017003485.tif 000019
【図１５Ｂ】
2017003485.tif 000020
【図１６Ａ】
2017003485.tif 000021
【図１６Ｂ】
2017003485.tif 000022
【図１７】
2017003485.tif 000023